(57)【要約】【課題】順序性を有する数字やアルファベット以外の印刷内容の一部が異なる複数の印刷物を、簡単に作成することができる印刷装置およびその制御方法を提供する。【解決手段】複数の印刷物の印刷に際し、全ての印刷物に共通する内容の共通情報を入力させる共通情報入力手段３と、入力された共通情報を記憶する共通情報記憶手段６３ａと、複数の印刷物毎に異なる内容の任意情報を入力させる任意情報入力手段１４と、入力された複数の任意情報を、それぞれ入力順序と関連付けて記憶する任意情報記憶手段６３ｂと、記憶した共通情報および任意情報に基づいて、印刷処理を制御する印刷制御手段と、を備え、印刷制御手段は、印刷処理を実行する度に、任意情報を入力順序に従って更新する。【選択図】図３
2011104797.tif 000002
【特許請求の範囲】
【請求項１】
複数の印刷物の印刷に際し、全ての前記印刷物に共通する内容の共通情報を入力させる共通情報入力手段と、
入力された前記共通情報を記憶する共通情報記憶手段と、
前記複数の印刷物毎に異なる内容の任意情報を入力させる任意情報入力手段と、
入力された前記任意情報を、それぞれ入力順序と関連付けて記憶する任意情報記憶手段と、
記憶した前記共通情報および前記任意情報に基づいて、印刷処理を制御する印刷制御手段と、を備え、
前記印刷制御手段は、
印刷処理を実行する度に、前記任意情報を入力順序に従って更新することを特徴とする印刷装置。
【請求項２】
前記共通情報および前記任意情報を表示する表示制御手段をさらに備え、
前記表示制御手段は、
前記印刷制御手段により印刷処理を実行する度に、前記任意情報を入力順序に従って更新して表示すると共に、前記共通情報および前記任意情報の少なくとも一方を識別可能に表示することを特徴とする請求項１に記載の印刷装置。
【請求項３】
前記任意情報記憶手段に記憶された前記任意情報を、所定のタイミングで消去することを特徴とする請求項１または２に記載の印刷装置。
【請求項４】
前記印刷制御手段は、
テープ状部材に対する印刷処理を制御することを特徴とする請求項１ないし３のいずれか１項に記載の印刷装置。
【請求項５】
複数の印刷物の印刷に際し、全ての前記印刷物に共通する内容の共通情報を入力させる共通情報入力ステップと、
入力された前記共通情報を記憶する共通情報記憶ステップと、
前記複数の印刷物毎に異なる内容の任意情報を入力させる任意情報入力ステップと、
入力された前記任意情報を、それぞれ入力順序と関連付けて記憶する任意情報記憶ステップと、
記憶した前記共通情報および前記任意情報に基づいて、印刷処理を制御する印刷制御ステップと、を備え、
前記印刷制御ステップでは、
印刷処理を実行する度に、前記任意情報を入力順序に従って更新することを特徴とする印刷装置の制御方法。
【発明の詳細な説明】
【技術分野】
【０００１】
本発明は、印刷内容の異なる複数枚の印刷物を連続的に印刷することができる印刷装置およびその制御方法に関するものである。
【背景技術】
【０００２】
従来、数字やアルファベットの部分のみが異なる複数枚の印刷物を作成する場合、印刷物を１枚印刷する度に、対象となる数字やアルファベットをカウントアップ（またはカウントダウン）して印刷する、所謂「連番機能（ナンバリング処理機能）」を有した印刷装置（テープ印刷装置）が知られている（例えば、特許文献１参照）。この印刷装置を用いることで、例えば、「１号室」、「２号室」、「３号室」・・・のように、所定の文字列（文字）に対して１ずつ増加させた数字を付加した印刷物や、「Ａ組」、「Ｂ組」、「Ｃ組」のように、所定の文字列に対して、アルファベット順にアルファベットを付加した印刷物を作成することが可能である。
【先行技術文献】
【特許文献】
【０００３】
【特許文献１】特開平８−１０８５７７号公報
【発明の概要】
【発明が解決しようとする課題】
【０００４】
ところで、複数の印刷物を作成する場合、上記のような順序性を有する数字やアルファベットをカウントアップし、当該部分のみが異なる複数の印刷物を作成する以外に、例えば、印刷内容の中の一部の文字列のみが異なる印刷物を複数枚作成したい場合等がある。この場合、上記の印刷装置では、ユーザーが、前回入力した印刷内容の変更対象となる文字列を削除し、新たに所望の文字列を再入力して印刷をするという作業を繰り返し行わなければならず、非常に手間が掛かるという問題があった。
【０００５】
本発明は、上記の問題に鑑み、順序性を有する数字やアルファベット以外の印刷内容の一部が異なる複数の印刷物を、簡単に作成することができる印刷装置およびその制御方法を提供することを目的とする。
【課題を解決するための手段】
【０００６】
本発明の印刷装置は、複数の印刷物の印刷に際し、全ての印刷物に共通する内容の共通情報を入力させる共通情報入力手段と、入力された共通情報を記憶する共通情報記憶手段と、複数の印刷物毎に異なる内容の任意情報を入力させる任意情報入力手段と、入力された任意情報を、それぞれ入力順序と関連付けて記憶する任意情報記憶手段と、記憶した共通情報および任意情報に基づいて、印刷処理を制御する印刷制御手段と、を備え、印刷制御手段は、印刷処理を実行する度に、任意情報を入力順序に従って更新することを特徴とする。
【０００７】
また、本発明の印刷装置の制御方法は、複数の印刷物の印刷に際し、全ての印刷物に共通する内容の共通情報を入力させる共通情報入力ステップと、入力された共通情報を記憶する共通情報記憶ステップと、複数の印刷物毎に異なる内容の任意情報を入力させる任意情報入力ステップと、入力された任意情報を、それぞれ入力順序と関連付けて記憶する任意情報記憶ステップと、記憶した共通情報および任意情報に基づいて、印刷処理を制御する印刷制御ステップと、を備え、印刷制御ステップでは、印刷処理を実行する度に、任意情報を入力順序に従って更新することを特徴とする。
【０００８】
これらの構成によれば、複数の印刷物を作成する際、共通情報は変更せず、任意情報のみを、印刷の度に自動的に更新しながら印刷を行うことができる。すなわち、印刷物毎にその印刷内容の一部（例えば、文字列の一部）が異なる複数の印刷物を作成する場合、印刷物毎に変えたい内容を任意情報として入力しておくことで、従来のように、印刷の度に、ユーザーが印刷内容の一部（変更したい部分）を削除して、新しい内容を再入力するといった手間を省くことができ、簡単且つ迅速に印刷を行うことができる。
【０００９】
本発明の印刷装置において、共通情報および任意情報を表示する表示制御手段をさらに備え、表示制御手段は、印刷制御手段により印刷処理を実行する度に、任意情報を入力順序に従って更新して表示すると共に、共通情報および任意情報の少なくとも一方を識別可能に表示することが好ましい。
【００１０】
この構成によれば、印刷処理をする度に、任意情報を更新して表示することで、次に印刷する内容を事前に確認できる。また、共通情報および任意情報の少なくとも一方を識別可能に表示するため、ユーザーはどの部分が更新対象（変更対象）なのか（あるいは、どの部分が共通の内容なのか）を容易に識別（把握）でき、利便性が良い。例えば、任意情報を識別するために、当該任意情報に下線や網掛け等の装飾を施して表示することが考えられる。
【００１１】
本発明の印刷装置において、任意情報記憶手段に記憶された任意情報を、所定のタイミングで消去することが好ましい。
【００１２】
この構成によれば、任意情報を所定のタイミングで消去することで、例えば、任意情報を蓄積保存する場合に比べ、使用する記憶容量（記憶領域）を少なくすることができ、メモリー等に掛かる負担を削減することができる。
【００１３】
本発明の印刷装置において、印刷制御手段は、テープ状部材に対する印刷処理を制御することが好ましい。
【００１４】
この構成によれば、印刷媒体としてテープ状部材を用いるテープ印刷装置に利用することができ、印刷内容の一部が異なる複数枚のラベルを作成する場合に便利である。
【図面の簡単な説明】
【００１５】
【図１】本発明の一実施形態に係るテープ印刷装置の開蓋状態における外観斜視図である。
【図２】テープ印刷装置の制御ブロック図である。
【図３】印刷内容の一部が異なる複数枚のラベルを連続的に印刷する手順について説明するフローチャートである。
【図４】印刷内容の一部が異なる２枚のラベルを作成する場合の画面遷移を示す説明図である。
【発明を実施するための形態】
【００１６】
以下、本発明の一実施形態について、添付図面を参照しながら詳細に説明する。本実施形態では、印刷装置として、テープ状部材（テープ状媒体）に印刷を行うことによってラベル（印刷物）を作成するテープ印刷装置を例に挙げて説明する。
【００１７】
図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１８】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。機能キー群３ｂには、［印刷］キー１１、カーソルキー１２、[選択]キー１３、［任意テキスト入力］キー１４などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００１９】
［印刷］キー１１は、印刷実行を指示するためのキーである。カーソルキー１２は、上下左右キー（［↑］，［↓］，［←］，［→］）から成り、カーソル移動やスクロール操作を行うためのキーである。［選択］キー１３は、選択候補（選択肢）の選択および確定操作を行うためのキーである。
【００２０】
一方、［任意テキスト入力］キー１４は、印刷内容の一部のみが異なる複数枚のラベルＬ（図４（ａ）参照）を作成する場合、その異なる部分のテキスト（以下、「任意テキスト（任意情報）」と称す。）を入力するためのキーである（詳細は後述する）。なお、ここでいうテキストとは、文字（文字列）、英数字、記号、簡易図形等のキャラクターから成るものである。
【００２１】
表示画面５は、液晶ディスプレイで形成されている。表示画面５は、ユーザーがキーボード３により所望のテキストや画像等を入力して、テキストデータや画像データ等の印刷データを作成・編集したり、その結果等を視認（確認）したりする際に用いられる。
【００２２】
装置ケース２の左側部には、カートリッジ装着部６と外部とを連通するテープ排出口２１が形成され、このテープ排出口２１には、送り出した印刷テープＴを切断するためのテープカッター２２（フルカッター５２およびハーフカッター５４，図２参照）が臨んでいる。そして、テープ排出口２１から印刷済みの印刷テープＴが所定長さだけ送り出され、送りを一旦停止させた状態で、この印刷済みの印刷テープＴをテープカッター２２により切断することにより、短冊状のラベルを作成する。
【００２３】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモーター３０（図２参照）が内蔵されている。
【００２４】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４が差し込まれるための貫通孔３４が形成されている。さらに、貫通孔３４にヘッドユニット２４が差し込まれた状態で、当該ヘッドユニット２４に内蔵された印刷ヘッド２６に対し、印刷テープＴとインクリボンＲとが重なる部分を挟んで対向する位置に、前記プラテン駆動軸２７に嵌合されて回転駆動するプラテンローラー３５が配設されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２５】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラー３５に当接して印刷が可能になる。その後、ユーザーが表示画面５の編集結果を確認しながらキーボード３により所望のテキストや画像を入力し、印刷を指示すると、テープ印刷装置１は、テープ送りモーター３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモーター３０は、余白分を含むテープ長さの位置まで印刷テープＴの送りを行った後、その送りを停止する（その後、切断処理に移行する）。
【００２６】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサー（マイクロスイッチ等）３７（図２参照）が、複数設けられており、このテープ識別センサー３７により複数の孔の状態を検出することで、テープ種別を判別できるようになっている。
【００２７】
次に、図２の制御ブロック図を参照し、テープ印刷装置１の制御構成について説明する。テープ印刷装置１は、操作部４１、検出部４２、印刷部４３、切断部４４、駆動部４５、およびこれら各部と接続して、テープ印刷装置１全体を制御する制御部４０を有している。
【００２８】
操作部４１は、キーボード３上の文字キー群３ａや機能キー群３ｂからの情報の入力・編集や設定、およびこれら各種情報の表示画面５への表示等、ユーザーインターフェイスとして機能する。なお、請求項における表示制御手段は、制御部４０および表示画面５を、主要な構成要素とするものである。
【００２９】
検出部４２は、上述したテープ識別センサー３７を有し、印刷テープＴ（テープカートリッジＣ）の種別を検出する。印刷部４３は、印刷ヘッド２６およびテープ送りモーター３０を有し、印刷テープＴおよびインクリボンＲを搬送しながら印刷テープＴ上に、生成された印刷データに基づく印刷を行う。なお、請求項における印刷制御手段は、制御部４０および印刷部４３を、主要な構成要素とするものである。
【００３０】
切断部４４は、印刷テープＴの記録テープＴａと剥離テープＴｂの両方を切断するフルカッター５２およびこれを駆動するフルカッターモーター５１と、印刷テープＴの記録テープＴａのみを切断するハーフカッター５４およびこれを駆動するハーフカッターモーター５３と、を有している。そして、これらフルカッター５２およびハーフカッター５４により、印刷部４３で印刷処理済みの印刷テープＴを所定の長さになるように切断し、ラベルＬを作成する。駆動部４５は、ディスプレイドライバー５５、ヘッドドライバー５６、テープ送りモータードライバー５７およびカッターモータードライバー５８を有し、各部を駆動する。
【００３１】
制御部４０は、ＣＰＵ（Central  Processing  Unit）６１、ＲＯＭ（Read  Only  Memory）６２、ＲＡＭ（Random  Access  Memory）６３、および入出力制御装置（以下、「ＩＯＣ：Input  Output  Controller」と称する）６４を備え、これらは互いに内部バス６５により接続されている。ＲＯＭ６２は、印刷処理等の各種処理をＣＰＵ６１で制御するための制御プログラムおよび制御データを記憶している。
【００３２】
ＲＡＭ６３は、ＣＰＵ６１が各種処理を実行するための作業領域として使用される。また、ＲＡＭ６３は共通テキスト記憶領域６３ａ（共通情報記憶手段）および任意テキスト記憶領域６３ｂ（任意情報記憶手段）を有している。共通テキスト記憶領域６３ａは、複数のラベルＬを連続的に印刷する際、全てのラベルＬに共通の内容となるテキスト（以下、「共通テキスト（共通情報）」と称す。）を記憶する。この共通テキストは、通常のテキスト入力画面（表示画面５）で、ユーザーによるキーボード３操作によって入力される。一方、任意テキスト記憶領域６３ｂは、複数のラベルＬを連続的に印刷する際、複数の印刷物毎に異なる内容となる複数のテキスト（任意テキスト）を、その入力順序と関連付けて記憶する。この任意テキストは、ユーザーにより［任意テキスト入力］キー１４が操作された時に表示される任意テキスト入力画面（表示画面５）で入力される。
【００３３】
上記の構成により、ＣＰＵ６１は、ＲＯＭ６２内の各種制御プログラムに従って、ＩＯＣ６４を介してテープ印刷装置１内の各部から各種信号・データを入力する。また、入力された各種信号・データに基づいてＲＡＭ６３内の各種データを処理し、ＩＯＣ６４を介してテープ印刷装置１の各部に各種信号・データを出力することにより、入力編集処理や印刷切断処理の制御を行なう。特に、印刷処理では、ＣＰＵ６１は、通常のラベル印刷処理の制御に加え、ラベルＬを１枚印刷する度に、当該ラベルＬの印刷内容の一部（任意テキスト部分）を更新しながら、複数枚のラベルを連続的に印刷する印刷処理制御を行う。
【００３４】
ここで、図３を参照して、本発明のテープ印刷装置１を使用したラベルＬの印刷方法について説明する。前述の通り、本発明のテープ印刷装置１は、ラベルＬの印刷を実行する度に、その印刷内容の共通テキスト部分はそのままで、任意テキスト部分を更新しながら、複数枚のラベルＬを連続的に印刷するものである。つまり、印刷内容の一部が異なる複数のラベルＬを連続的に印刷するものである。従って、本発明の要点である任意テキストの入力および任意テキスト部分を更新しながらラベルＬを印刷する手順についてのみ説明する。
【００３５】
図３は、テープ印刷装置１により、印刷内容の一部（任意テキスト部分）が異なる複数枚のラベルＬを連続的に印刷する手順（制御方法）について説明するフローチャートである。まず、テキスト入力画面において、ユーザーにより、印刷する全てのラベルＬに共通の内容となる共通テキストが入力される（Ｓ０１）。この入力された共通テキストは、共通テキスト記憶領域６３ａに記憶される。
【００３６】
続いて、ユーザーにより［任意テキスト入力］キー１４が押下されると（Ｓ０２）、ＣＰＵ６１（テープ印刷装置１）は、任意テキスト入力画面を表示する。ここで、ユーザーにより、印刷するラベルＬ毎に異なる内容となる任意テキストが入力され（Ｓ０３）、確定（［選択］キー１３の押下）されると、ＣＰＵ６１は、当該任意テキストを任意テキスト記憶領域６３ｂに記憶すると共に、「任意テキストの入力を終える」のか、または「次の任意テキスト（２枚目以降のラベルＬに印刷する任意テキスト）を入力する」のかを示す選択肢を画面表示する。
【００３７】
ユーザーにより、「次の任意テキストの入力」が選択された場合（Ｓ０４；Ｎｏ）、ＣＰＵ６１は、Ｓ０３以降の処理を繰り返す。この処理（Ｓ０３、Ｓ０４）を繰り返すことにより、２枚目、３枚目・・・に印刷する任意テキストが、その入力順序と関連付けて任意テキスト記憶領域６３ｂに記憶される。一方、ユーザーにより、「任意テキストの入力を終える」が選択された場合（Ｓ０４；Ｙｅｓ）、ＣＰＵ６１は、任意テキスト入力画面からテキスト入力画面に遷移し、当該テキスト入力画面に、印刷対象となる共通テキストおよび任意テキストの内容を表示する（Ｓ０５）。ここでは、まだ、１度も印刷処理が実行されていないため、共通テキストと共に、最初に入力した任意テキストが表示される。
【００３８】
続いて、ユーザーによる［印刷］キー１１の押下によって印刷が指示されると（Ｓ０６）、ＣＰＵ６１は、印刷対象となる共通テキストおよび任意テキストに基づくラベルＬ、つまりＳ０５で表示されている内容のラベルＬを印刷する（Ｓ０７）。そして、印刷終了後、ＣＰＵ６１は、印刷した任意テキストの次に入力された任意テキストが、任意テキスト記憶領域６３ｂに記憶されているか否かを判定する。
【００３９】
次の任意テキストがある場合（Ｓ０８；Ｙｅｓ）、ＣＰＵ６１は、任意テキスト部分を、当該次の任意テキストに更新し（Ｓ０９）、テキスト入力画面に共通テキストと共に更新した任意テキストを表示する（Ｓ０５）。そして、Ｓ０６以降の処理を繰り返す。これにより、任意テキスト部分のみが更新されたラベルＬの表示および印刷を連続的に実行することができる。一方、次の任意テキストがない場合（Ｓ０８；Ｎｏ）、ＣＰＵ６１は、任意テキスト記憶領域６３ｂに記憶した全ての任意テキストを消去し（Ｓ１０）、印刷処理を終える。このように、一連の印刷処理の終了時に、記憶されている全ての任意テキストを消去することで、例えば、任意テキストを蓄積保存する場合に比べ、使用する記憶容量（記憶領域）を少なくすることができ、メモリー等に掛かる負担を削減することができる。
【００４０】
ここで、図４を参照して、本発明のテープ印刷装置１により印刷内容の一部が異なる複数枚のラベルＬの作成手順を具体例を挙げて説明する。図４（ａ）は、作成するラベルＬの一例を示すものであり、「学校名、学年およびクラス」の部分７１は共通の内容で、「生徒氏名」の部分７２のみが異なる２枚のラベルＬ（ＬａおよびＬｂ）を示す図である。図４（ｂ）は、図４（ａ）に示す２枚のラベルＬ（ＬａおよびＬｂ）を作成する場合の画面遷移を説明する図である。以下、図４（ｂ）の画面遷移図に基づいて説明する。なお、図４（ｂ）の参照番号Ｍは、入力されたテキストが何行目に位置するかを示す行頭マークである。
【００４１】
まず、テキスト入力画面において、ユーザーにより、共通の内容となる「学校名」、「学年」および「クラス」として、「ばら小学校  １年４組」が入力される（Ｄ０１）。すなわち、共通テキストとして「ばら小学校  １年４組」が記憶される。続いて、ユーザーにより［任意テキスト入力］キー１４が押下されると、任意テキスト入力画面に遷移し、ラベルＬ毎に異なる内容となるテキスト（任意テキスト。ここでは生徒氏名）の入力が可能となる（Ｄ０２）。
【００４２】
この状態で（Ｄ０２）、ユーザーにより１枚目のラベルＬ（Ｌａ）に印刷する任意テキストとして、生徒氏名「青木」が入力され（Ｄ０３）、［選択］キー１３が押下されると、入力した生徒氏名「青木」を確定し、２枚目のラベルＬ（Ｌｂ）に印刷する任意テキストを入力するか（選択肢「２枚目」）、任意テキストの入力を終了するか（選択肢「終了」）を選択する選択画面に遷移する（Ｄ０４）。
【００４３】
この状態で（Ｄ０４）、ユーザーによる［→］キー１２の操作により、選択肢「２枚目」が選択され（Ｄ０５）、［選択］キー１３が押下されると、２枚目のラベルＬ（Ｌｂ）に印刷する任意テキストが入力可能となる（Ｄ０６）。ここで、ユーザーにより２枚目のラベルＬ（Ｌｂ）に印刷する任意テキストとして、生徒氏名「伊藤」が入力され（Ｄ０７）、［選択］キー１３が押下されると、入力した生徒氏名「伊藤」を確定し、３枚目のラベルＬに印刷する任意テキストを入力するか（選択肢「３枚目」）、任意テキストの入力を終了するか（選択肢「終了」）を選択する選択画面に遷移する（Ｄ０８）。
【００４４】
続いて、この状態で（Ｄ０８）、ユーザーにより選択肢「終了」が選択され（Ｄ０９）、［選択］キー１３が押下されると、任意テキスト入力画面から抜けて通常のテキスト入力画面に遷移する。この時、テキスト入力画面には、全てのラベルＬに共通の内容（共通テキスト）として入力した「ばら小学校  １年４組」と、ラベルＬ毎に更新する任意テキストとして最初に入力した生徒氏名「青木」と、が表示される（Ｄ１０）。また、このテキスト入力画面では、生徒氏名「青木」は、網掛けが施されて表示される。
【００４５】
続いて、この状態で（Ｄ１０）、ユーザーにより［印刷］キー１１が押下されると、印刷実行画面に遷移し（Ｄ１１）、Ｄ１０の表示内容のラベルＬ、すなわち図４（ａ）のラベルＬａが印刷される。そして、印刷終了後、生徒氏名が「青木」から「伊藤」に更新され、且つ生徒氏名「伊藤」に網掛けが施されたテキスト入力画面が表示される（Ｄ１２）。つまり、生徒氏名の部分が、Ｄ０７で２枚目のラベルＬの印刷内容として入力された任意テキストの内容に更新されて表示される。次に、この状態で、［印刷］キー１１が押下されると、印刷実行画面に遷移し（Ｄ１３）、Ｄ１２の表示内容のラベルＬ、すなわち図４（ａ）のラベルＬｂが印刷され、一連の処理を終える。
【００４６】
以上のように、本実施形態によれば、複数のラベルＬを作成する際、共通テキスト部分（共通情報）は変更せず、任意テキスト部分（任意情報）のみを、印刷の度に自動的に更新しながら印刷を行うことができる。すなわち、印刷物毎にその印刷内容の一部（例えば、文字列の一部）が異なる複数のラベルＬを作成する場合、ラベルＬ毎に変えたい内容を任意テキストとして入力しておくことで、従来のように、印刷の度に、ユーザーが印刷内容の一部（変更したい部分）を削除して、新しい内容を再入力するといった手間を省くことができ、簡単且つ迅速に印刷を行うことができる。
【００４７】
例えば、学校において、あるクラスに属する生徒の氏名入りのラベルＬを作成する場合、共通テキストとして、学校名、学年、クラス等を入力して記憶させ、任意テキストとして、当該クラスに属する全ての生徒の氏名を入力して記憶させることで、生徒の氏名のみが異なる複数のラベルＬ（例えば、図４のラベルＬａやＬｂ等）を簡単に作成することができ、利便性が良い。
【００４８】
また、表示画面５において、任意テキストに網掛けを施すことで、共通テキストと任意テキストとの表示形式を異なる形式で表示できるため、ユーザーはどの部分が更新対象（変更対象）なのかを容易に識別でき、利便性が良い。
【００４９】
なお、複数のラベルＬの印刷は、ユーザーにより１回の印刷指示（例えば、印刷キー１１の押下）がなされた時、記憶した全ての任意テキストをその入力順序に従って更新ながらラベルＬを連続して印刷しても良いし、ラベルＬを１枚印刷する毎に、任意テキストを更新するようにしても良い。
【００５０】
また、本実施形態では、任意テキストを網掛け表示することで共通テキストとの識別を可能に表示したが、これに限るものではなく、例えば、任意テキストに下線等の装飾を施したり、あるいは、任意テキストの前端や後端に、任意テキストである旨を示す記号等を付加することによって、任意テキストと共通テキストとを識別可能にしても良い。また、任意テキストではなく、共通テキストに記号等を付加して任意テキストとの識別を可能にしても良い。
【００５１】
また、本実施形態では、任意テキストの消去は、記憶した任意テキストの全てが印刷された後に一括消去するようにしているが、これに限るものではない。例えば、印刷処理毎に、当該印刷処理の対象となった１の任意テキストを順次消去するようにしても良い。
【００５２】
また、上述した実施例によらず、テープ印刷装置１の構成や処理工程等について、本発明の要旨を逸脱しない範囲で、適宜変更も可能である。
【符号の説明】
【００５３】
１…テープ印刷装置  ３…キーボード  ５…表示画面  １４…任意テキスト入力キー  ４０…制御部  ４３…記憶部  ６３ａ…共通テキスト記憶領域  ６３ｂ…任意テキスト記憶領域  Ｌ…ラベル
【図１】
2011104797.tif 000003
【図２】
2011104797.tif 000004
【図３】
2011104797.tif 000005
【図４】
2011104797.tif 000006